(57)【要約】【課題】ユーザが出力系統の設定を簡単明瞭に認識することができる情報再生機器を提供する。【解決手段】複数の出力系統を有する情報再生機器であって、前記複数の出力系統において実行されている信号処理態様の概略を図式化して表示するための表示信号を生成する表示信号生成手段を備える情報再生機器。前記複数の出力系統において実行されている信号処理態様の概略を図式化した表示の一例としては、現時点での出力系統の設定において実行されている信号処理態様の概略をハイライト表示し、現時点での出力系統の設定において使用されていない信号処理ブロック及び信号経路をグレーアウト表示する表示が挙げられる。【選択図】図４
2009105788.tif 000002
【特許請求の範囲】
【請求項１】
複数の出力系統を有する情報再生機器において、
前記複数の出力系統において実行されている信号処理態様の概略を図式化して表示するための表示信号を生成する表示信号生成手段を備えることを特徴とする情報再生機器。
【請求項２】
前記複数の出力系統にＨＤＭＩ出力端子が含まれているＢＤ再生装置である請求項１に記載の情報再生機器。
【請求項３】
前記情報再生装置に接続される外部機器の表示手段が、前記表示信号生成手段の出力に基づいて、前記複数の出力系統において実行されている信号処理態様の概略を図式化した表示を行っている状態において、
前記複数の出力系統において実行されている信号処理態様の概略を図式化した表示中の特定の信号処理ブロックが操作手段により選択され、さらに、前記特定の信号処理ブロックでの信号処理を実行するかスルーするかが前記操作手段により選択されると、
前記操作手段による選択の内容に応じて前記複数の出力系統の設定を変更する出力系統設定カスタム変更手段を備える請求項１又は請求項２に記載の情報再生機器。
【請求項４】
前記情報再生装置に接続される外部機器の表示手段が、前記表示信号生成手段の出力に基づいて、前記複数の出力系統において実行されている信号処理態様の概略を図式化した表示を行っている状態において、
前記複数の出力系統において実行されている信号処理態様の概略を図式化した表示中の特定の出力端子が操作手段により選択され、さらに、前記特定の出力端子から出力可能な信号の中から一種類の信号が前記操作手段により選択されると、
前記操作手段による選択の内容に応じて前記複数の出力系統の設定を変更する出力系統設定簡易変更手段を備える請求項１〜３のいずれかに記載の情報再生機器。
【発明の詳細な説明】
【技術分野】
【０００１】
本発明は、情報再生機器に関し、特に出力系統を複数有する情報再生機器に関する。
【背景技術】
【０００２】
ＢＤ（Blu-ray Disc）再生装置等の情報再生機器は、ビデオ出力、オーディオ出力の双方においてそれぞれ出力系統を複数有している。ＢＤ再生装置等の情報再生機器に接続される外部機器（例えばテレビジョン受像機やＡＶアンプなど）の機能や性能は様々であり、また、ユーザの画質や音質に対する好みも様々である。
【０００３】
このため、ＢＤ再生装置等の情報再生機器では、所定の信号処理（例えば、ビデオ信号に対するＩ／Ｐ変換処理や、オーディオ信号に対するデコード処理など）を実行するかスルーするかを選択して設定できるようになっており、或る信号処理を情報再生機器側で行うのか、外部機器側で行うのか、又は、情報再生機器側と外部機器側の両方で行うと画質や音質が悪化するので情報再生機器側と外部機器側の両方で行うことを回避するのかを、ユーザが個々のケースに応じて決定することが可能になっている。
【０００４】
また、ＢＤ再生装置等の情報再生機器では、出力系統にＨＤＭＩ（High-Definition Multimedia Interface）を含んでいるものが増えてきている。マルチメディアインタフェースの一つであるＨＤＭＩは、デジタル映像信号及びデジタル音声信号を非圧縮で制御信号とともに一体化したシングルケーブルで伝送できるものである。ＢＤ再生装置等の情報再生機器と外部機器とがＨＤＭＩケーブルによって接続される場合、ＢＤ再生装置等の情報再生機器は、外部機器からＥＤＩＤ（Extended Display Identification Data）を取得し、そのＥＤＩＤに応じて出力系統の設定を変更する。
【０００５】
【特許文献１】特開２００５−３５４４３３号公報
【特許文献２】特開２００２−３０５５２７号公報
【特許文献３】特開２００３−３７５９８号公報
【特許文献４】特開２００６−１２９０１２号公報
【特許文献５】特開２００６−２５４２９３号公報
【発明の開示】
【発明が解決しようとする課題】
【０００６】
ＢＤ再生装置等の情報再生機器では、所定の信号処理を実行するかスルーするかを選択して設定できるようになっており、さらには出力系統の数も多いため、ユーザが出力系統の設定を簡単明瞭に認識することができなかった。
【０００７】
また、ＢＤ再生装置等の情報再生機器と外部機器とがＨＤＭＩケーブルによって接続される場合、ＢＤ再生装置等の情報再生機器は、外部機器の状態によって出力系統の設定を自動的に変更するので、ユーザ設定とは異なる設定になる場合があり、ユーザが混乱するおそれがある。
【０００８】
なお、特許文献１で提案されている装置接続図表示システムは、複数の入出力端子を備える映像表示機器や映像記録装置等を複数個接続する場合に、各機器の入出力端子の接続状態が一目で確認することができるものであるが、ソース機器内部の出力系統での信号処理態様は表示されない（特許文献１の図１参照）ので、ユーザがソース機器内部の出力系統の設定を簡単明瞭に認識することができなかった。
【０００９】
また、特許文献２で提案されている機器接続状態表示装置等は、ネットワークを構成する複数台のデジタル機器について、トポロジーマップ上に表示される各ノードの位置関係を、対応するデジタル機器の実際の位置関係に合わせて表示するものであるが、ソース機器内部の出力系統での信号処理態様は表示されない（特許文献２の図５参照）ので、ユーザがソース機器内部の出力系統の設定を簡単明瞭に認識することができなかった。
【００１０】
また、特許文献３で提案されているバスアナライザは、接続情報に基づき一のＩＥＥＥ１３９８バスに接続されている機器の接続図を表示手段に表示させるものであるが、ソース機器内部の出力系統での信号処理態様は表示されない（特許文献３の図２参照）ので、ユーザがソース機器内部の出力系統の設定を簡単明瞭に認識することができなかった。
【００１１】
また、特許文献４で提案されているネットワーク診断方法等は、個々の接続経路における経路情報をマトリクス表示し、正常／異常を区別する複数種類のアイコンを表示するものであるが、ソース機器内部の出力系統での信号処理態様は表示されない（特許文献４の図３参照）ので、ユーザがソース機器内部の出力系統の設定を簡単明瞭に認識することができなかった。
【００１２】
また、特許文献５で提案されている接続状態表示装置等は、取得した受信ノードに対する各送信ノードのデータ送信状態に従って、送信状態を表示するものであるが、ソース機器内部の出力系統での信号処理態様は表示されない（特許文献５の図４参照）ので、ユーザがソース機器内部の出力系統の設定を簡単明瞭に認識することができなかった。
【００１３】
本発明は、上記の状況に鑑み、ユーザが出力系統の設定を簡単明瞭に認識することができる情報再生機器を提供することを目的とする。
【課題を解決するための手段】
【００１４】
本発明に係る情報再生機器は、複数の出力系統を有する情報再生機器であって、前記複数の出力系統において実行されている信号処理態様の概略を図式化して表示するための表示信号を生成する表示信号生成手段を備える構成である。
【００１５】
このような構成によると、前記情報再生装置に接続される外部機器の表示手段が、前記表示信号生成手段の出力に基づいて、前記複数の出力系統において実行されている信号処理態様の概略を図式化した表示を行うことができるので、ユーザが出力系統の設定を簡単明瞭に認識することができる。
【００１６】
また、上記構成の情報再生機器が、前記複数の出力系統にＨＤＭＩ出力端子が含まれているＢＤ再生装置であってもよい。ＢＤ再生装置では、出力系統の設定が多様であり、さらに、出力系統にＨＤＭＩ出力端子が含まれている構成では、外部機器の状態によって出力系統の設定が自動的に変更されるので、ユーザ設定とは異なる設定になる場合があるため、複数の出力系統において実行されている信号処理態様の概略の図式化表示は出力系統にＨＤＭＩ出力端子が含まれているＢＤ再生装置にとって特に有用である。
【００１７】
また、上記各構成の情報再生機器において、前記情報再生装置に接続される外部機器の表示手段が、前記表示信号生成手段の出力に基づいて、前記複数の出力系統において実行されている信号処理態様の概略を図式化した表示を行っている状態において、前記複数の出力系統において実行されている信号処理態様の概略を図式化した表示中の特定の信号処理ブロックが操作手段により選択され、さらに、前記特定の信号処理ブロックでの信号処理を実行するかスルーするかが前記操作手段により選択されると、前記操作手段による選択の内容に応じて前記複数の出力系統の設定を変更する出力系統設定カスタム変更手段を備えるようにしてもよい。
【００１８】
このような構成によると、ユーザは、複数の出力系統において実行されている信号処理態様の概略の図式化表示を利用して、出力系統の設定を簡単にカスタマイズすることができる。
【００１９】
また、上記各構成の情報再生機器において、前記情報再生装置に接続される外部機器の表示手段が、前記表示信号生成手段の出力に基づいて、前記複数の出力系統において実行されている信号処理態様の概略を図式化した表示を行っている状態において、前記複数の出力系統において実行されている信号処理態様の概略を図式化した表示中の特定の出力端子が操作手段により選択され、さらに、前記特定の出力端子から出力可能な信号の中から一種類の信号が前記操作手段により選択されると、前記操作手段による選択の内容に応じて前記複数の出力系統の設定を変更する出力系統設定簡易変更手段を備えるようにしてもよい。
【００２０】
このような構成によると、各信号処理について詳しい知識を有していないユーザでも、複数の出力系統において実行されている信号処理態様の概略の図式化表示を利用して、出力系統の設定を簡単に変更することができる。
【発明の効果】
【００２１】
本発明に係る情報再生機器によると、本発明に係る情報再生装置に接続される外部機器の表示手段が、本発明に係る情報再生装置の表示信号生成手段の出力に基づいて、複数の出力系統において実行されている信号処理態様の概略を図式化した表示を行うことができるので、ユーザが出力系統の設定を簡単明瞭に認識することができる。
【発明を実施するための最良の形態】
【００２２】
本発明の実施形態について図面を参照して以下に説明する。本発明に係る情報再生機器として、ここではＢＤ再生装置を例に挙げて説明する。本発明に係るＢＤ再生装置の概略構成例を図１に示す。
【００２３】
本発明に係るＢＤ再生装置１は、ＢＤ２を回転させるスピンドルモータ部３と、ＢＤ２にレーザビームを照射してＢＤ２に書き込まれている信号の読み出しを行う光ピックアップ部４と、光ピックアップ部４が読み出した信号を処理し２ｃｈの圧縮映像信号及び２ｃｈの圧縮音声信号を出力する信号処理部５と、信号処理部５からの圧縮映像信号を処理して外部出力する映像信号出力部６と、信号処理部５からの圧縮音声信号を処理して外部出力する音声信号出力部７と、スピンドルモータ部３、光ピックアップ部４、信号処理部５、映像信号出力部６、音声信号出力部７、及び記憶部１１を制御する制御部８と、各種操作ボタンからなりユーザが押圧した操作ボタンに対応するコード信号を制御部８に出力してユーザの指示を制御部８に伝える操作部９と、不図示のリモコン送信機から赤外線信号を受信しユーザのリモコン操作に対応するコード信号を制御部８に出力してユーザの指示を制御部８に伝えるリモコン受信部１０と、各種データを記憶する記憶部１１とを備えている。なお、ＢＤ２は、本発明に係るＢＤ再生装置１に対して着脱自在である。
【００２４】
映像信号出力部６の構成例を図２に示す。映像信号出力部６は、２ｃｈの圧縮映像信号を同時にデコードし、ピクチャー・イン・ピクチャー機能を実現できるように、メイン圧縮映像信号（例えば本編映像）をデコードする第１ビデオデコーダ１２と、サブ圧縮映像信号（例えばコメンタリー映像）をデコードする第２ビデオデコーダ１３と、第１ビデオデコーダ１２の出力信号と第２ビデオデコーダ１３の出力信号とをミキシングするミックス部１４とを備えている。さらに、映像信号出力部６は、インターレース（ｉ）映像をプログレッシブ（ｐ）映像に変換するＩ／Ｐ変換及び解像度変換を独立して行うことが可能なＩ／Ｐ及び解像度変換部１５と、Ｉ／Ｐ及び解像度変換部１５の出力信号に文字若しくは図形のＯＳＤデータを重畳して出力する又は文字若しくは図形のＯＳＤデータを出力するＯＳＤ（On Screen Display）処理部１６と、ＨＤ（High Definition）画像であるＯＳＤ処理部１６の出力信号をＳＤ（Standard Definition）画像に変換するＨＤ／ＳＤ変換部１７と、ＯＳＤ処理部１６の出力信号をＴＭＤＳ（Transition Minimized Differential Signaling）方式でＨＤＭＩ送信するためのＨＤＭＩ送信部１８と、ＯＳＤ処理部１６の出力信号とＨＤ／ＳＤ変換部１７のいずれかを選択するセレクタ１９と、セレクタ１９の出力信号を３ｃｈのアナログ映像信号（Ｙ／Ｂ−Ｙ／Ｒ−Ｙ）にＤＡ変換するビデオＤＡコンバータ２０と、ＨＤ／ＳＤ変換部１７の出力信号を２ｃｈのアナログ映像信号（Ｙ／Ｃ）にＤＡ変換するビデオＤＡコンバータ２１と、ビデオＤＡコンバータ２１の出力信号を複合化する複合化部２２と、ＨＤＭＩビデオ出力を行うＨＤＭＩ出力端子２３と、コンポーネント出力を行うコンポーネント出力端子２４と、コンポジット出力を行うコンポジット出力端子２５と、Ｙ／Ｃ出力を行うセパレート出力端子２６とを備えている。なお、ＨＤＭＩ送信部１８及びＨＤＭＩ出力端子２３は、映像信号出力部６と音声信号出力部７とで共用されている。
【００２５】
次に、音声信号出力部７の構成例を図３に示す。音声信号出力部７は、ピクチャー・イン・ピクチャー機能に対応して、メイン圧縮音声信号（例えば本編音声）をデコードする第１オーディオデコーダ２７と、サブ圧縮音声信号（例えばコメンタリー音声）をデコードする第２オーディオデコーダ２８と、第１オーディオデコーダ２７の出力信号と第２オーディオデコーダ２８の出力信号とをミキシングするミックス部２９とを備えている。さらに、音声信号出力部７は、ミックス部２９の出力信号（８ｃｈのＰＣＭ信号）からチャンネル数が２ｃｈに減じるようにダウンミックスするダウンミックス部３０と、ミックス部２９の出力信号を再エンコードする再エンコーダ３１と、メイン圧縮音声信号からコアストリームを抽出するＤＤ（Dolby Digital）及びＤＴＳ（Digital Theater Systems）対応のコアストリーム抽出部３２と、再エンコーダ３１の出力信号、メイン圧縮音声信号、及びコアストリーム抽出部３２の出力信号からの選択を行うセレクタ３３と、ミックス部２９の出力信号又はセレクタ３３の出力信号をＴＭＤＳ方式でＨＤＭＩ送信するためのＨＤＭＩ送信部１８と、ミックス部２９の出力信号を７．１ｃｈのアナログ音声信号（Ｌ／Ｒ／Ｃ／ＳＬ／ＳＲ／ＬＢ／ＲＢ／ＬＦＥ）にＤＡ変換するオーディオＤＡコンバータ３４と、ダウンミックス部３０の出力信号を２ｃｈのアナログ音声信号（Ｌ／Ｒ）にＤＡ変換するオーディオＤＡコンバータ３５と、ダウンミックス部３０の出力信号又はセレクタ３３の出力信号をデジタル光信号に変換するＤ／Ｏ変換部３６と、ＨＤＭＩオーディオ出力を行うＨＤＭＩ出力端子２３と、７．１ｃｈアナログ出力を行うアナログ出力端子３７と、２ｃｈアナログ出力を行うアナログ出力端子３８と、デジタル出力を行う光出力端子及び同軸出力端子３９とを備えている。
【００２６】
制御部１１は、出力系統図表示モードへの移行を指示する旨のコード信号を操作部９又はリモコン受信部１０から入力すると、出力系統図表示モードに移行し、記憶部１１によって記憶されている出力系統の設定、又は、図１に示すＢＤ再生装置１と外部機器とがＨＤＭＩケーブルによって接続される場合には外部機器から取得したＥＤＩＤに応じた出力系統の設定を図式化して表示するためのＯＳＤデータをＯＳＤ処理部１６に作成させる。これにより、図１に示すＢＤ再生装置１に接続されている外部機器の表示部が、図１に示すＢＤ再生装置１の出力系統の設定を図式化した表示を行うことになる。
【００２７】
図１に示すＢＤ再生装置１の出力系統の設定を図式化した表示の一例を図４に示す。図４中の太文字及び太線は実際にはハイライト表示であり、図４中の細文字及び細線は実際にはグレーアウト表示である。ハイライト表示になっている部分が、現時点での出力系統の設定において実行されている信号処理態様の概略を示したものであり、グレーアウト表示になっている部分が、現時点での出力系統の設定において使用されていない信号処理ブロック及び信号経路を示したものである。このような表示により、ユーザが出力系統の設定を簡単明瞭に認識することができる。なお、図５に示すように、図４においてグレーアウト表示になっている部分の表示を行わないようにしても、図４に示す表示の場合と同様に、ユーザが出力系統の設定を簡単明瞭に認識することができる。
【００２８】
また、図１に示すＢＤ再生装置１に接続されている外部機器の表示部が、図４に示す表示を行っている状態で、制御部１１は、出力系統設定カスタム変更モードへの移行を指示する旨のコード信号を操作部９又はリモコン受信部１０から入力すると、出力系統設定カスタム変更モードに移行し、図４中の一つの信号処理ブロック（例えばＩ／Ｐ変換）が反転表示される。反転表示される信号処理ブロックは、リモコン送信機の上下左右キーを押すことによってユーザが任意に選択可能になっている。なお、ハイライト表示の信号処理ブロックのみならず、グレーアウト表示の信号処理ブロックも選択可能である。
【００２９】
ユーザがリモコン送信機の決定キーを押すと反転表示される信号処理ブロックの選択が確定し、図６に示すように、反転表示される信号処理ブロック（図６中の「Ｉ／Ｐ変換」）の処理を実行する設定を選択する選択肢（図６中の「実行」）と、反転表示される信号処理ブロックの処理を実行しない設定を選択する選択肢（図６中の「スルー」）とが表示される。例えば、ユーザのリモコン操作により、図６中の「スルー」の選択が確定すると、図６中の「Ｉ／Ｐ変換」がハイライト表示からグレーアウト表示に変わり、図６中の「Ｉ／Ｐ変換」をスルーする経路が新たにハイライト表示され、図６中の「１９２０×１０８０ｐ」が「１９２０×１０８０ｉ」に変わり、この表示変化に対応した設定に出力系統の設定が変更され記憶部１１に記憶される。これにより、ユーザは出力系統の設定を簡単にカスタマイズすることができる。
【００３０】
また、図１に示すＢＤ再生装置１に接続されている外部機器の表示部が、図４に示す表示を行っている状態で、制御部１１は、出力系統設定簡易変更モードへの移行を指示する旨のコード信号を操作部９又はリモコン受信部１０から入力すると、出力系統設定簡易変更モードに移行し、図４中の一つの出力端子（例えばコンポーネント出力端子）が反転表示される。反転表示される出力端子は、リモコン送信機の上下キーを押すことによってユーザが任意に選択可能になっている。なお、ハイライト表示の出力端子のみならず、グレーアウト表示の出力端子も選択可能である。
【００３１】
ユーザがリモコン送信機の決定キーを押すと反転表示される出力端子の選択が確定し、図７に示すように、反転表示される出力端子（図７中の「コンポーネント出力端子」）が出力可能な信号から一つを選択するための選択肢（図７中の「１９２０×１０８０ｐ」、「１９２０×１０８０ｉ」、「７２０×４８０ｐ」、「７２０×４８０ｉ」の４つの選択肢）が表示される。例えば、ユーザのリモコン操作により、図６中の「７２０×４８０ｉ」の選択が確定すると、図７中の「アップコンバート」、「Ｉ／Ｐ変換」、及び「１９２０×１０８０ｉ」がハイライト表示からグレーアウト表示に変わり、図７中の「アップコンバート」及び「Ｉ／Ｐ変換」をスルーする経路が新たにハイライト表示され、図７中の「ＨＤＭＩ出力端子」及び「コンポーネント出力端子」に入力される信号の表示が「１９２０×１０８０ｐ」から「７２０×４８０ｉ」に変わり、この表示変化に対応した設定に出力系統の設定が変更され記憶部１１に記憶される。かかる出力系統の設定変更は、各出力端子の各出力信号に対応する信号処理態様パターンが予め記憶部１１に記憶されているため、制御部８の制御により自動的に行われる。これにより、各信号処理について詳しい知識を有していないユーザでも出力系統の設定を簡単に変更することができる。
【００３２】
なお、上述した実施形態では本発明をＢＤ再生装置に適用したが、本発明はこれに限らず、他の情報再生機器（例えばハードディスクレコーダ）にも適用可能である。
【図面の簡単な説明】
【００３３】
【図１】は、本発明に係るＢＤ再生装置の概略構成例を示す図である。
【図２】は、図１に示すＢＤ再生装置が備える映像信号出力部の構成例を示す図である。
【図３】は、図１に示すＢＤ再生装置が備える音声信号出力部の構成例を示す図である。
【図４】は、図１に示すＢＤ再生装置の出力系統の設定を図式化した表示の一例を示す図である。
【図５】は、図１に示すＢＤ再生装置の出力系統の設定を図式化した表示の他の例を示す図である。
【図６】は、出力系統設定カスタム変更モードにおける表示例を示す図である。
【図７】は、出力系統設定簡易変更モードにおける表示例を示す図である。
【符号の説明】
【００３４】
１  ＢＤ再生装置
２  ＢＤ
３  スピンドルモータ部
４  光ピックアップ部
５  信号処理部
６  映像信号出力部
７  音声信号出力部
８  制御部
９  操作部
１０  リモコン受信部
１１  記憶部
１２  第１ビデオデコーダ
１３  第２ビデオデコーダ
１４  ミックス部
１５  Ｉ／Ｐ及び解像度変換部
１６  ＯＳＤ処理部
１７  ＨＤ／ＳＤ変換部
１８  ＨＤＭＩ送信部
１９  セレクタ
２０、２１  ビデオＤＡコンバータ
２２  複合化部
２３  ＨＤＭＩ出力端子
２４  コンポーネント出力端子
２５  コンポジット出力端子
２６  セパレート出力端子
２７  第１オーディオデコーダ
２８  第２オーディオデコーダ
２９  ミックス部
３０  ダウンミックス部
３１  再エンコーダ
３２  コアストリーム抽出部
３３  セレクタ
３４、３５  オーディオＤＡコンバータ
３６  Ｄ／Ｏ変換部
３７、３８  アナログ出力端子
３９  光出力端子及び同軸出力端子
【図１】
2009105788.tif 000003
【図２】
2009105788.tif 000004
【図３】
2009105788.tif 000005
【図４】
2009105788.tif 000006
【図５】
2009105788.tif 000007
【図６】
2009105788.tif 000008
【図７】
2009105788.tif 000009